(57)【要約】【課題】積み重ね可能で水漏れがなく、かつ、組み立てと折りたたみが容易な容器を提供する。【解決手段】底面部２と、前後左右の各側面部３・４と、底面部２と各側面部３・４とを連接する各コーナ連接部５とを組み上げて上面を開放した平面視矩形の折りたたみ容器１を構成する。上記各側面部３・４は、内壁部３ａ・４ａとその延長外壁部３ｂ・４ｂとを備え、上記底面部２と各内壁部３ａ・４ａ及び各コーナ連接部５に切込みを入れずに展開構成する。上記各延長外壁部３ｂ・４ｂの高さ寸法Ｂを内壁部３ａ・４ａの高さ寸法Ａよりも大きく設定して底上げ状の容器１を構成するとともに、当該容器１を台形状に形成して、その上辺部の寸法ａ・ｂを当該容器１の底上げした底壁下部２ｂに内嵌する寸法に設定する。【選択図】　図１
2004059146.tif 000002
【特許請求の範囲】
【請求項１】
底面部（２）と、前後左右の各側面部（３・４）と、底面部（２）と各側面部（３・４）とを連接する各コーナ連接部（５）とを組み立てて構成した上面開放状の折りたたみ容器において、
上記各側面部（３・４）は、それぞれ内壁部（３ａ・４ａ）とその延長外壁部（３ｂ・４ｂ）とを備え、上記底面部（２）と各内壁部（３ａ・４ａ）及び各コーナ連接部（５）に切込みを入れずに展開構成し、
上記各延長外壁部（３ｂ・４ｂ）の高さ寸法（Ｂ）を内壁部（３ａ・４ａ）の高さ寸法（Ａ）よりも大きく設定して底上げ状の容器（１）を構成するとともに、当該容器（１）を台形状に形成して、その上辺部の寸法（ａ・ｂ）を当該容器（１）の底上げした底面下部（２ｂ）に内嵌する寸法に設定した、ことを特徴とする折りたたみ容器。
【請求項２】
請求項１に記載した折りたたみ容器において、
上記各側面部（３・４）の前後左右のいずれか対向する一対の延長外壁部（４ｂ）の外側に底裏面接触部（４ｄ）を設け、それ（４ｄ）を上記底面部（２）の裏面の対向する底辺に沿って予め接着した、ことを特徴とする折りたたみ容器。
【請求項３】
請求項２に記載した折りたたみ容器において、
上記底裏面接触部（４ｄ）を設けた側の各延長外壁部（４ｂ）の両横に、一対の折込連接片（７・７）を設け、これらの折込連接片（７・７）を隣接する各側面部（３）の内壁部（３ａ）とその延長外壁部（３ｂ）との間に挟持させた、ことを特徴とする折りたたみ容器。
【発明の詳細な説明】
【０００１】
【発明の属する技術分野】
本発明は、積み重ね可能で水漏れのない折りたたみ容器に関する。
【０００２】
【従来の技術】
従来より、積み重ね可能な折りたたみ容器としては、特開平９−２０７９４０号公報に開示されたもの（以下、「前者」と言う）が知られ、また、水漏れのない折りたたみ容器としては、特開平１１−５９６５３号公報に開示されたもの（以下、「後者」と言う）が知られている。
【０００３】
前者は、上面を開放した直方体容器の側壁上辺部に複数の係合突片を一体形成し、当該直方体容器の底面辺部に上記係合突片が係入する複数の被係入スリットを形成して、積み重ね可能な折りたたみ容器を構成したものである。
また、後者は、容器の収容空間となる部分には一切切り込みを形成せずに、水漏れのない折りたたみ容器を構成したものである。
【０００４】
【発明が解決しようとする課題】
しかしながら、前者の容器は積み重ね可能だが、係合突片が係入する被係入スリットより水漏れが生ずる。他方、後者の容器は底面に対して上面が拡開した逆台形状であり、この容器を積み重ねると、当該容器の内容積が極端に小さくなり、食品等の内容物を収容した状態で積み重ねると、その内容物が変形する等、実質的に重箱として使用できない。
【０００５】
本発明はこのような事情に鑑みてなされたものであり、その目的は、積み重ね可能で水漏れがなく、かつ、組み立てと折りたたみが容易な容器を提供することにある。
【０００６】
【課題を解決するための手段】
上記課題を解決するために、本発明は以下のように構成される。
即ち、請求項１に記載の発明は、底面部２と、前後左右の各側面部３・４と、底面部２と各側面部３・４とを連接する各コーナ連接部５とを組み上げて上面開放状の折りたたみ容器（以下、これを「本発明の基本構成」と言う）において、上記各側面部３・４は、内壁部３ａ・４ａとその延長外壁部３ｂ・４ｂとを備え、上記底面部２と各内壁部３ａ・４ａ及び各コーナ連接部５に切込みを入れずに展開構成し、上記各延長外壁部３ｂ・４ｂの高さ寸法Ｂを内壁部３ａ・４ａの高さ寸法Ａよりも大きく設定して底上げ状の容器１を構成するとともに、当該容器１を台形状に形成して、その上辺部の寸法ａ・ｂを当該容器１の底上げした底面下部２ｂに内嵌する寸法に設定した、ことを特徴とする。
【０００７】
請求項２に記載の発明は、請求項１に記載した折りたたみ容器において、
例えば図４（Ａ）に示すように、上記各側面部の前後左右のいずれか対向する一対の延長外壁部４ｂの外側に底裏面接触部４ｄを設け、それ４ｄを上記底面部２の裏面２ｂにその対向する底辺に沿って予め接着した、ことを特徴とする。
【０００８】
請求項３に記載の発明は、請求項２に記載した折りたたみ容器において、
上記底裏面接触部４ｄを設けた側の各延長外壁部４ｂの両横に、一対の折込連接片７・７を設け、この折込連接片７・７を隣接する各側面部３の内壁部３ａとその延長外壁部３ｂとの間に挟持させた、ことを特徴とする。
【０００９】
【発明の作用・効果】
本発明によれば、以下の作用・効果を奏する。
（イ）請求項１に記載の発明では、前記基本構成を備える折りたたみ容器において、上記各側面部３・４は内壁部３ａ・４ａとその延長外壁部３ｂ・４ｂとを備え、上記底面部２と各内壁部３ａ・４ａ及び各コーナ連接部５に切込みを入れずに構成したので、水漏れが生じない。
【００１０】
（ロ）請求項１に記載の発明では、上記各延長外壁部３ｂ・４ｂの高さ寸法Ｂを内壁部３ａ・４ａの高さ寸法Ａよりも大きく設定して底上げ状の容器１を構成するとともに、当該容器１を台形状に形成して、その上辺部の寸法ａ・ｂを当該容器１の底上げした底面下部２ｂに内嵌する寸法に設定したので、この容器１を積み重ねた場合に、その上辺部で積み重ねた容器１の低面部２を受け止める。これにより容器１の内容積を確保しつつ、重箱状に積み重ねることが可能になる。
【００１１】
（ロ）請求項２に記載の発明では、請求項１に記載した折りたたみ容器において、
例えば図４（Ａ）に示すように、上記各側面部３・４の前後左右のいずれか対向する一対の延長外壁部４ｂの外側に底裏面接触部４ｄを設け、それ４ｄを上記底面部２の裏面にその対向する底辺に沿って予め接着したことから、後述するように、その容器１の組み立てが容易になる。つまり、この折りたたみ１容器は、運搬時に嵩張らないように所要部を予め貼り付けておき、売店等での折りたたみ容器の組立てが容易となるように、図４（Ａ）に示す状態で売店等へ納入される。また、後述のようにして組立てた容器は、図４（Ａ）に示す形態に簡単に折りたたんで平面的にできるので、廃棄する際にも嵩張らない。
【００１２】
（ハ）請求項３に記載の発明では、請求項２に記載した折りたたみ容器において、
上記底裏面接触部４ｄを設けた側の各延長外壁部４ｂの両横に、一対の折込連接片７・７を設け、これらの折込連接片７・７を隣接する各側面部３の内壁部３ａとその延長外壁部３ｂとの間に挟持させたことから、容器１を組み立てたときに、図５に示すように、これらの折込連接片７が、ある種の復元力として隣接する各側面部３の内壁部３ａとその延長外壁部３ｂとに作用し、コーナ部の係合部１０が相互にしっかりと係合することとなる。これにより、組立てられた容器が、簡単に瓦解することがなくなる。
【００１３】
【発明の実施の形態】
以下、本発明の実施形態を添付図面に基づいて説明する。図１（Ａ）は本発明に係る折りたたみ容器の斜視図（ただし、仮想線はその容器を積み重ねた状態を示す）、図１（Ｂ）はその折りたたみ容器の展開図であり、この展開図は表裏が同一に表れる。この折りたたみ容器１は、厚手の紙材により構成され、図１（Ａ）（Ｂ）に示すように、底面部２と、前後左右の各側面部３・４と、底面部２と各側面部３・４とを連接する各コーナ連接部５とを、破線で示す折れ線に沿って組み上げることにより、上面開放状の平面視矩形に構成されている。
【００１４】
上記各側面部３・４は、それぞれ内壁部３ａ・４ａとその延長外壁部３ｂ・４ｂと、底上げ内壁部３ｃ・４ｃと、底裏面接触部３ｄ・４ｄとから成り、前後の延長外壁部３ｂの左右両脇にフラップ６・６が形成され、左右の延長外壁部４ｂの前後両脇に折込連接片７・７が形成され、左右の底上げ内壁部４ｃの前後両脇に小さな折込連接片８・８が形成されている。上記底面部２と各内壁部３ａ・４ａ及び各コーナ連接部５には切込みを入れないように展開構成してある。これは水漏れが生じないように意図したものである。
【００１５】
ここで、延長外壁部３ｂ・４ｂの寸法Ｂは内壁部３ａ・４ａの寸法Ａよりも小さく、その寸法差Ｂ−Ａが、この容器の底上げの寸法Ｃになっている。そして、底上げの寸法Ｃは底上げ内壁部３ｃ・４ｃの幅寸法と略等しくなっている。
【００１６】
以下、この折りたたみ容器１の組立て手順を説明する。
図１（Ｂ）に示すように、前後の延長外壁部３ｂの左右のフラップ６・６の裏面には接着剤６ｅが塗着され、左右の底裏面接触部４ｄの裏面には接着剤４ｅが塗着されている。図２は組立て手順１を示す折りたたみ容器の裏面図である。先ず、上記フラップ６・６を図２に示すように、当該延長外壁部３ｂの裏面に貼り付ける。なお、このフラップは折りたたみ容器１を構成する上で不可欠ではなく、組立てたときに端面の見栄えを良くする観点から設けられている。
【００１７】
次いで図３は、組立て手順２を示す折りたたみ容器の裏面図である。図３に示すように、左右の延長外壁部４ｂに対して、それぞれ底上げ内壁部４ｃと底裏面接触部４ｄとをＺ字状に折り曲げる。次いで図４（Ａ）は、組立て手順３を示す折りたたみ容器の裏面図である。図４（Ａ）に示すように、それぞれ底裏面接触部４ｄを底面部裏面の左右の辺に沿って貼り付ける。この状態では内壁部４ａとその延長外壁部４ｂとが折り重なっている。これは容器１の組み立てが容易になるように意図したものである。
【００１８】
つまり、この折りたたみ１容器は、運搬時に嵩張らないように所要部を予め貼り付けておき、売店等での折りたたみ容器の組立てが容易となるように、図４（Ａ）に示す状態で売店等へ納入される。また、後述のようにして組立てた容器は、図４（Ａ）に示す形態に簡単に折りたたんで平面的にできるので、廃棄する際にも嵩張らない。
【００１９】
次いで図４（Ｂ）は、組立て手順４を示す折りたたみ容器の裏面図である。図４（Ｂ）に示すように、左右の内壁部４ａとその延長外壁部４ｂとを表面側へ折り曲げるとともに、前後の内壁部３ａを表面側へ折り曲げる。すると容器の各コーナ部に、コーナ連接部５と、折込連接片７及び８が図４（Ｂ）に示す状態で表れる。
【００２０】
次いで図５は、組立て手順５を示す折りたたみ容器の裏面図である。図５に示すように、前後の延長外壁部３ｂをそれぞれ外向き（紙面上では手前）に折り曲げて、その内壁部３ａとその延長外壁部３ｂとの間に、上記コーナ連接部５と折込連接片７及び８を挟持させ、次いで各底上げ内壁部３ｃを裏側へ折り込み、各底壁裏面接触部３ｄを底面部２の前後の辺に沿わせてその両端の係合部１０をそれぞれ左右の各底壁裏面接触部４ｄの係合部１０と係合させる。この係合状態では前記コーナ連接部５と折込連接片７及び８が、ある種の復元力として隣接する各側面部の内壁部３ａ・４ａとその延長外壁部３ｂ・４ｂとに作用し、コーナ部の係合部１０が相互にしっかりと係合し離脱しにくくなる。これにより、組立てられた容器１が、簡単に瓦解することがなくなる。
【００２１】
上記構成によれば、各延長外壁部３ｂ・４ｂの高さ寸法Ｂは、各内壁部３ａ・４ａの高さ寸法Ａよりも大きく設定され、底上寸法Ｃの容器１が構成される。また、当該容器１は台形状に形成され、その上辺部の寸法ａ・ｂは当該容器１の底上げした底面下部２ｂに内嵌する寸法に設定されている。これにより、この容器１を積み重ねた場合に、その上辺部で積み重ねた容器１の低面部２を受け止める。これにより容器１の内容積を確保しつつ、積み重ねが可能になる。つまり、積み重ね容器として利用できる。また、前記のようにして組立てた容器は、図４（Ａ）に示す形態に簡単に折りたたむこともできるので、廃棄する際にも嵩張らない。
【００２２】
この発明は上記の実施形態に限定されるものではなく、この発明の要旨を変更しない範囲内において、例えば下記のように種々の設計変更を施すことが可能である。
（ａ）上記の実施形態では、各側面部３・４が、それぞれ内壁部３ａ・４ａとその延長外壁部３ｂ・４ｂと、底上げ内壁部３ｃ・４ｃと、底裏面接触部３ｄ・４ｄとから成るものについて例示したが、請求項１の発明では、各側面部３・４が少なくとも内壁部３ａ・４ａとその延長外壁部３ｂ・４ｂとを備えるものであれば足りる。また、上辺部の寸法ａ・ｂは同じ寸法に設定したが、異なる寸法に設定することもできる。
【００２３】
（ｂ）上記の実施形態では、容器を厚手の紙材により構成したものについて例示したが、合成樹脂材料や皮革等、各種の材料を用いることができる。
（ｃ）容器内に煮汁等の液状物を収容する場合には、容器の内面に発水性の皮膜（例えばラミネート材）を貼り付けて用いることもできる。廃棄する際には、当該皮膜を剥がして容器のみを焼却すれば環境問題を生じる虞がない。
【図面の簡単な説明】
【図１】図１（Ａ）は本発明に係る折りたたみ容器の斜視図、図１（Ｂ）はその折りたたみ容器の展開図である。
【図２】組立て手順１を示す折りたたみ容器の裏面図である。
【図３】組立て手順２を示す折りたたみ容器の裏面図である。
【図４】図４（Ａ）は組立て手順３を示す折りたたみ容器の裏面図、図４（Ｂ）は組立て手順４を示す折りたたみ容器の裏面図である。
【図５】組立て手順５を示す折りたたみ容器の裏面図である。
【図６】本発明に係る折りたたみ容器の斜視図である。
【符号の説明】
１…容器、２…底面部、２ｂ…容器の底面下部、３・４…側面部、３ａ・４ａ…内壁部、３ｂ・４ｂ…延長外壁部、４ｄ…底裏面接触部、５…コーナ連接部、７…折込連接片、Ａ…内壁部の高さ寸法、Ｂ…延長外壁部の高さ寸法、ａ・ｂ…上辺部の寸法。
【図１】
2004059146.tif 000003
【図２】
2004059146.tif 000004
【図３】
2004059146.tif 000005
【図４】
2004059146.tif 000006
【図５】
2004059146.tif 000007
【図６】
2004059146.tif 000008